(57)【要約】【課題】腹腔鏡下術等において、最適な操作性を得ることを可能にする体腔内用超音波プローブを提供する。【解決手段】術式の種類や、対象となる部位の体腔内における深度に応じて、体腔内挿入長さＡ１、Ａ２を自由に調整することを可能にする。例えば、当該体腔内用超音波プローブ１を、体腔内浅部において用いる場合（浅部適用時）には、握り部３を体腔内挿入部２の下部へ移動して、固定部５によって体腔内挿入部２に固定する（同図（Ａ）参照）。また、体腔内深部において用いる場合（深部適用時）には、握り部３を体腔内挿入部２の上部へ移動して、固定部５によって体腔内挿入部２に固定する（同図（Ｂ）参照）。【選択図】      図１
2004298340.tif 000002
【特許請求の範囲】
【請求項１】
超音波センサを一端に有し、体腔内に挿入される体腔内挿入部と、前記体腔内挿入部の他端側に設けられ、前記体腔内挿入部を操作するための握り部と、を備える体腔内用超音波プローブであって、
前記体腔内挿入部の一端から前記握り部までの長さを調節することを可能に構成したことを特徴とする体腔内用超音波プローブ。
【請求項２】
前記握り部は、前記体腔内挿入部を挿通する孔部を有することを特徴とする請求項１記載の体腔内用超音波プローブ。
【請求項３】
前記握り部は、前記体腔内挿入部を挟み込む溝部を有することを特徴とする請求項１記載の体腔内用超音波プローブ。
【請求項４】
前記握り部は、当該握り部を前記体腔内挿入部の任意の位置に固定する固定手段を、さらに有することを特徴とする請求項２又は請求項３に記載の体腔内用超音波プローブ。
【請求項５】
前記握り部は、前記体腔内挿入部の他端側を出し入れ自在に収納する収納部を有することを特徴とする請求項１記載の体腔内用超音波プローブ。
【請求項６】
前記握り部は、前記体腔内挿入部の他端側を前記収納部の任意の位置に固定する固定手段を、さらに有することを特徴とする請求項５記載の体腔内用超音波プローブ。
【請求項７】
前記体腔内挿入部は、
前記超音波センサを一端に有する体腔内挿入先端部と、
前記体腔内挿入先端部の他端側を出し入れ自在に収納する収納部を有し、前記体腔内挿入先端部と前記握り部とを中継する体腔内中継部と、を備えることを特徴とする請求項１記載の体腔内用超音波プローブ。
【請求項８】
前記体腔内中継部は、前記体腔内挿入先端部の他端側を前記収納部の任意の位置に固定する固定手段を、さらに有することを特徴とする請求項７記載の体腔内用超音波プローブ。
【請求項９】
前記握り部は、前記体腔内中継部の前記体腔内挿入先端部に対する他端側を出し入れ自在に収納する収納部を有することを特徴とする請求項７又は請求項８に記載の体腔内用超音波プローブ。
【請求項１０】
前記握り部は、前記体腔内中継部を前記収納部の任意の位置に固定する固定手段を、さらに有することを特徴とする請求項９記載の体腔内用超音波プローブ。
【発明の詳細な説明】
【０００１】
【発明の属する技術分野】
本発明は、腹腔内等の体腔内で超音波を走査して超音波画像を得る体腔内用超音波プローブに関する。
【０００２】
【従来の技術】
従来より、超音波振動子から生体内に向けて超音波パルスを繰り返し送信し、生体内で反射される超音波パルスのエコーを受信して、この超音波パルスの送受信する方向を少しずつ移動させることによって、生体内の複数の方向から収集した情報を超音波画像として表示する超音波診断装置が提案されている。
【０００３】
このような超音波診断装置の１つに、経口的、或いは、経肛門的検査や腹腔内検査等に使用される体腔内用超音波プローブがある（例えば、特許文献１参照）。
【０００４】
図７に示すように、この体腔内用超音波プローブを腹腔内検査に使用する場合には、当該体腔内用超音波プローブ１００は、患者Ｐの腹部に穿刺されている複数のトラカールの１つを介して腹腔内に導入され、操作者Ｑは、他のトラカールによって体腔内に導入されている内視鏡２００によって腹腔内の様子をモニタ３００で観察しながら、当該体腔内用超音波プローブ１００を手元操作して超音波振動子面を目的の診断部位に密着させて超音波観察画像を得て検査を行う。
【０００５】
また、図８に示すように、このような腹腔鏡下術の一般的な手法である気腹法や腹壁吊り上げ法においては、トラカール４００を介して炭酸ガスや生理用食塩水を注入したり、機械的に腹壁を持ち上げることで、腹腔内に空間（腹壁Ｐａから臓器Ｐｂ（肝臓等）まで）を確保して、その中で上述したような手術操作が行われることになる。
【０００６】
そのため、当該体腔内用超音波プローブの体腔内挿入部１００ａの長さは、腹腔内の空間に対応し、さらに肝臓全域が走査可能となるような長さ（３００〜４００ｍｍ）が確保されている。
【０００７】
【特許文献１】
特開２００１−１７８７２８号公報（段落〔００１８〕‐〔００４２〕、第１図乃至第７図）
【０００８】
【発明が解決しようとする課題】
しかしながら、このような体腔内用超音波プローブを浅部に位置する組織や臓器に対して用いる場合には、体腔内挿入部が長すぎるために操作性が悪化する問題があった。
【０００９】
また、体腔内挿入部を体腔内へ挿入する長さは、組織や臓器の位置だけでなく、患者の体格にも依存して変化する。さらには、図９に示すように、腹腔内に空間を設けない方法（炭酸ガスや生理用食塩水の注入、腹壁Ｐａの持ち上げを行わない、トラカールを用いない）も存在し、このような場合にも、腹壁Ｐａから臓器（肝臓等）Ｐｂの距離が短縮するため、体腔内用超音波プローブ１００の長過ぎる体腔内挿入部１００ａは、操作性を悪化させる要因となっていた。
【００１０】
本発明は、上記事情に鑑みてなされたものであり、その目的とするところは、腹腔鏡下術等において、最適な操作性を得ることを可能にする体腔内用超音波プローブを提供することにある。
【００１１】
【課題を解決するための手段】
上記課題を解決するために、請求項１記載の発明は、超音波センサを一端に有し、体腔内に挿入される体腔内挿入部と、前記体腔内挿入部の他端側に設けられ、前記体腔内挿入部を操作するための握り部と、を備える体腔内用超音波プローブであって、前記体腔内挿入部の一端から前記握り部までの長さを調節することを可能に構成したことを特徴とする。
【００１２】
また、請求項２記載の発明は、請求項１記載の体腔内用超音波プローブであって、前記握り部は、前記体腔内挿入部を挿通する孔部を有することを特徴とする。
【００１３】
また、請求項３記載の発明は、請求項１記載の体腔内用超音波プローブであって、前記握り部は、前記体腔内挿入部を挟み込む溝部を有することを特徴とする。
【００１４】
また、請求項４記載の発明は、請求項３又は請求項４に記載の体腔内用超音波プローブであって、前記握り部は、当該握り部を前記体腔内挿入部の任意の位置に固定する固定手段を、さらに有することを特徴とする。
【００１５】
また、請求項５記載の発明は、請求項１記載の体腔内用超音波プローブであって、前記握り部は、前記体腔内挿入部の他端側を出し入れ自在に収納する収納部を有することを特徴とする。
【００１６】
また、請求項６記載の発明は、請求項５記載の体腔内用超音波プローブであって、前記握り部は、前記体腔内挿入部の他端側を前記収納部の任意の位置に固定する固定手段を、さらに有することを特徴とする。
【００１７】
また、請求項７記載の発明は、請求項１記載の体腔内用超音波プローブであって、前記体腔内挿入部は、前記超音波センサを一端に有する体腔内挿入先端部と、前記体腔内挿入先端部の他端側を出し入れ自在に収納する収納部を有し、前記体腔内挿入先端部と前記握り部とを中継する体腔内中継部と、を備えることを特徴とする。
【００１８】
また、請求項８記載の発明は、請求項７記載の体腔内用超音波プローブであって、前記体腔内中継部は、前記体腔内挿入先端部の他端側を前記収納部の任意の位置に固定する固定手段を、さらに有することを特徴とする。
【００１９】
また、請求項９記載の発明は、請求項７又は請求項８に記載の体腔内用超音波プローブであって、前記握り部は、前記体腔内中継部の前記体腔内挿入先端部に対する他端側を出し入れ自在に収納する収納部を有することを特徴とする。
【００２０】
また、請求項１０記載の発明は、請求項９記載の体腔内用超音波プローブであって、前記握り部は、前記体腔内中継部を前記収納部の任意の位置に固定する固定手段を、さらに有することを特徴とする。
【００２１】
【発明の実施の形態】
以下、本発明に係る体腔内用超音波プローブの好適な一実施形態について、図面を参照しながら具体的に説明する。
【００２２】
［第１の実施形態］
図１（Ａ）、（Ｂ）に、本実施形態における体腔内用超音波プローブの全体構成を示す。図１（Ａ）、（Ｂ）に示すように、当該体腔内用超音波プローブ１は、主に、超音波センサ部２ａを先端部分に内蔵する体腔内挿入部２と、この体腔内挿入部２を操作するための握り部３と、この握り部３を通って超音波センサ部２ａと図示省略の超音波診断装置本体とを電気的に繋ぐケーブル４とから構成されている。
【００２３】
超音波センサ部２ａは、複数の超音波振動子を配列しており、この超音波振動子から生体内に向けて超音波パルスを繰り返し送信し、生体内で反射される超音波パルスのエコーを受信して、さらに超音波パルスの送受信する方向を少しずつ移動させる、即ち、走査することによって、生体内の複数の方向から情報を収集して、超音波診断装置においては、これを超音波画像として表示する
【００２４】
また、体腔内挿入部２は、体腔内に挿入し易く、且つ、患者への不快感をできるだけ軽減するために、細く丸みを帯びた形状となっている。
【００２５】
また、握り部３は、体腔内挿入部２を挿通する孔部３ａを有し、当該握り部３は、この孔部３ａを介して、体腔内挿入部２に沿って移動可能な仕組みとなっている。これにより、体腔内挿入部２の先端部分から握り部３までの長さ（体腔内挿入長さ）を任意に調整することが可能になる。尚、握り部３は、２つ割りの構成としても良く、このような場合には、握り部３は、体腔内挿入部２を挟み込む溝部（挟み込んだ状態で孔部３ａを形成する）を有し、当該握り部３は、この溝部を介して、体腔内挿入部２に沿って移動可能な仕組みとなる。
【００２６】
また、握り部３は、操作者が握り易い太さや形状を有しており、且つ、固定部５によって、体腔内挿入部２に対して、操作者が操作し易い任意の位置に固定できる仕組みとなっている。
【００２７】
ここで、固定部５の詳細構成について説明する。例えば、図２（Ａ）、（Ｂ）に示すように、体腔内挿入部２の側面には、被非固定部として、挿入方向に対して鋭角なノコギリ歯状の突起部２ｂが形成されている。また、握り部３の端部内面には、体腔内挿入部２の突起部２ｂが挿入方向と逆行することを防止するツメ状の突起３ｂが形成され、端部外面にはネジ山３ｃが形成されている。一方、当該固定部５の内面には、握り部３のネジ山３ｃと係合するネジ山５ａが形成されている。
【００２８】
このような構成において、リリース時には、図２（Ａ）に示すように、固定部５のネジ山５ａと握り部３のネジ山３ｃとの係合を解くことで、握り部３の突起３ｂは、素材の剛性によって体腔内挿入部２の突起部２ｂから離れて、握り部３は、体腔内挿入部２に対して移動自在の状態となる。一方、固定時には、図２（Ｂ）に示すように、固定部５のネジ山５ａと握り部３のネジ山３ｃとを係合させることで、握り部３の突起３ｂは、体腔内挿入部２の突起部２ｂに接触して、握り部３は、体腔内挿入部２に対して固定された状態となる。尚、固定部５の他の構成例としては、ネジやピン等を挙げることができる。
【００２９】
このような構成において、例えば、当該体腔内用超音波プローブ１を体腔内浅部において用いる場合（浅部適用時）には、図１（Ａ）に示すように、握り部３を体腔内挿入部２の下部へ移動して、固定部５によって体腔内挿入部２に固定する。因みに、この際の体腔内挿入長さＡ１は、１００ｍｍ〜１５０ｍｍ程度である。
【００３０】
また、当該体腔内用超音波プローブ１を体腔内深部において用いる場合（深部適用時）には、図１（Ｂ）に示すように、握り部３を体腔内挿入部２の上部へ移動して、固定部５によって体腔内挿入部２に固定する。因みに、この際の体腔内挿入長さＡ２は、３００ｍｍ〜４５０ｍｍ程度である。
【００３１】
尚、当該体腔内用超音波プローブ１を使用後には、各部に対して滅菌処理を施す必要があるため、体腔内挿入部２と握り部３と固定部５は、個々に分解可能、即ち、握り部３は、体腔内挿入部２から引き抜くことが可能で、固定部５は、握り部３から取り外し可能に構成することが好ましい。
【００３２】
以上に説明したように、当該体腔内用超音波プローブ１においては、握り部３を固定部５によって体腔内挿入部２の任意の位置に固定することができるので、術式の種類や、対象となる部位の体腔内における深度に応じて、体腔内挿入長さを自由に調整することができ、浅部に位置する組織や臓器が対象となる場合やトラカールを用いない術式の場合においても、操作者にとって最適な操作性を得ることができる。また、深部に位置する組織や臓器が対象となる場合やトラカールを用いる術式の場合においても、従来と同様に対応することができる。
【００３３】
［第２の実施形態］
図３（Ａ）、（Ｂ）に、本実施形態における体腔内用超音波プローブの全体構成を示す。図３（Ａ）、（Ｂ）に示すように、当該体腔内用超音波プローブ１０は、主に、超音波センサ部１１ａを先端部分に内蔵する体腔内挿入部１１と、この体腔内挿入部１１の他端側を収納する収納部１２ａを有し、体腔内挿入部１１を操作するための握り部１２と、この握り部１２を通って超音波センサ部１１ａと図示省略の超音波診断装置本体とを電気的に繋ぐケーブル１３とから構成されている。
【００３４】
超音波センサ部１１ａは、複数の超音波振動子を配列しており、この超音波振動子から生体内に向けて超音波パルスを繰り返し送信し、生体内で反射される超音波パルスのエコーを受信して、さらに超音波パルスの送受信する方向を少しずつ移動させる、即ち、走査することによって、生体内の複数の方向から情報を収集して、超音波診断装置においては、これを超音波画像として表示する
【００３５】
また、体腔内挿入部１１は、体腔内に挿入し易く、且つ、患者への不快感をできるだけ軽減するために、細く丸みを帯びた形状となっている。
【００３６】
また、握り部１２は、体腔内挿入部１１の他端側を収納する収納部１２ａを有し、体腔内挿入部１１は、この収納部１２ａから出し入れ自在な仕組みとなっている。これにより、体腔内挿入部１１の先端部分から握り部１２までの長さ（体腔内挿入長さ）を任意に調整することが可能になる。
【００３７】
また、握り部１２は、操作者が握り易い太さや形状を有しており、且つ、固定部１４によって、体腔内挿入部１１を操作者が操作し易い任意の長さに固定できる仕組みとなっている。
【００３８】
ここで、固定部１４の詳細構成について説明する。例えば、図４（Ａ）、（Ｂ）に示すように、体腔内挿入部１１の側面には、被非固定部として、挿入方向に対して鋭角なノコギリ歯状の突起部１１ｂが形成されている。また、握り部１２の端部内面には、体腔内挿入部１１の突起部１１ｂが挿入方向と逆行することを防止するツメ状の突起１２ｂが形成され、端部外面にはネジ山１２ｃが形成されている。一方、当該固定部１４の内面には、握り部１２のネジ山１２ｃと係合するネジ山１４ａが形成されている。
【００３９】
このような構成において、リリース時には、図４（Ａ）に示すように、固定部１４のネジ山１４ａと握り部１２のネジ山１２ｃとの係合を解くことで、握り部１２の突起１２ｂは、素材の剛性によって体腔内挿入部１１の突起部１１ｂから離れて、体腔内挿入部１１は、握り部１２に対して移動自在の状態となる。一方、固定時には、図４（Ｂ）に示すように、固定部１４のネジ山１４ａと握り部１２のネジ山１２ｃとを係合させることで、握り部１２の突起１２ｂは、体腔内挿入部１１の突起部１１ｂに接触して、体腔内挿入部１１は、握り部１２に対して固定された状態となる。尚、固定部１４の他の構成例としては、ネジやピン等を挙げることができる。
【００４０】
このような構成において、例えば、当該体腔内用超音波プローブ１０を体腔内浅部において用いる場合（浅部適用時）には、図３（Ａ）に示すように、体腔内挿入部１１の他端側を握り部１２の収納部１２ａに収納して、固定部１４によって固定する。この際、ケーブル１３は、図における矢印方向に押し出される。因みに、この際の体腔内挿入長さＡ１は、１００ｍｍ〜１５０ｍｍ程度である。
【００４１】
また、当該体腔内用超音波プローブ１０を体腔内深部において用いる場合（深部適用時）には、図３（Ｂ）に示すように、体腔内挿入部１１を握り部１２の収納部１２ａから引き出して、固定部１４によって固定する。この際、ケーブル１３は、図における矢印方向に引き込まれる。因みに、この際の体腔内挿入長さＡ２は、３００ｍｍ〜４５０ｍｍ程度である。
【００４２】
尚、当該体腔内用超音波プローブ１０を使用後には、各部に対して滅菌処理を施す必要があるため、体腔内挿入部１１と握り部１２と固定部１４は、個々に分解可能、即ち、体腔内挿入部１１は、握り部１２から引き抜くことが可能で、固定部１４は、握り部１２から取り外し可能に構成することが好ましい。
【００４３】
以上に説明したように、当該体腔内用超音波プローブ１０においては、体腔内挿入部１１を固定部１４によって握り部１２に対して任意の長さに固定することができるので、術式の種類や、対象となる部位の体腔内における深度に応じて、体腔内挿入長さを自由に調整することができ、浅部に位置する組織や臓器が対象となる場合やトラカールを用いない術式の場合においても、操作者にとって最適な操作性を得ることができる。また、深部に位置する組織や臓器が対象となる場合やトラカールを用いる術式の場合においても、従来と同様に対応することができる。
【００４４】
また、体腔内挿入部１１の他端側を、握り部１２の収納部１２ａに収納する仕組みとなっているので、コンパクトにすることができ、上述した［第１の実施形態］に比べて、より操作性を向上することができる。
【００４５】
［第３の実施形態］
図５（Ａ）、（Ｂ）に、本実施形態における体腔内用超音波プローブの全体構成を示す。図５（Ａ）、（Ｂ）に示すように、当該体腔内用超音波プローブ２０は、主に、超音波センサ部２１ａを先端部分に内蔵する体腔内挿入先端部２１と、この体腔内挿入先端部２１の他端側を収納する収納部２２ａを有し、体腔内挿入先端部２１と握り部２３とを中継する体腔内中継部２２と、この体腔内中継部２２の体腔内挿入先端部２１に対する他端側を収納する収納部２３ａを有し、体腔内挿入先端部２１（体腔内中継部２２を含む）を操作するための握り部２３と、この握り部２３を通って超音波センサ部２１ａと図示省略の超音波診断装置本体とを電気的に繋ぐケーブル２４とから構成されている。尚、体腔内挿入先端部２１と体腔内中継部２２で、体腔内挿入部を構成する。
【００４６】
超音波センサ部２１ａは、複数の超音波振動子を配列しており、この超音波振動子から生体内に向けて超音波パルスを繰り返し送信し、生体内で反射される超音波パルスのエコーを受信して、さらに超音波パルスの送受信する方向を少しずつ移動させる、即ち、走査することによって、生体内の複数の方向から情報を収集して、超音波診断装置においては、これを超音波画像として表示する
【００４７】
また、体腔内挿入先端部２１は、体腔内に挿入し易く、且つ、患者への不快感をできるだけ軽減するために、細く丸みを帯びた形状となっている。
【００４８】
また、体腔内中継部２２は、体腔内挿入先端部２１の他端側を収納する収納部２２ａを有し、体腔内挿入先端部２１は、この収納２２ａから出し入れ自在な仕組みとなっている。これにより、体腔内挿入先端部２１の先端部分から当該体腔内中継部２２までの長さ（第１の体腔内挿入長さ）を任意に調整することが可能になる。
【００４９】
また、体腔内中継部２２は、固定部２５によって、体腔内挿入先端部２１を操作者が操作し易い任意の長さに固定できる仕組みとなっている。
【００５０】
また、握り部２３は、体腔内中継部２２の体腔内挿入先端部２１に対する他端側を収納する収納部２３ａを有し、体腔内中継部２２は、この収納２３ａから出し入れ自在な仕組みとなっている。これにより、体腔内中継部２２の先端部分から当該握り部２３までの長さ（第２の体腔内挿入長さ）を任意に調整することが可能になる。
【００５１】
さらに、これらにより、体腔内挿入先端部２１の先端部分から握り部２３までの長さ（体腔内挿入長さ）を任意に調整することが可能になる。
【００５２】
また、握り部２３は、操作者が握り易い太さや形状を有しており、且つ、固定部２６によって、体腔内中継部２２を操作者が操作し易い任意の長さに固定できる仕組みとなっている。
【００５３】
ここで、固定部２５、２６の詳細構成について説明する。但し、固定部２５と固定部２６の構成は、同様であるため、以下においては、固定部２５に関して説明する部分は、（）として記載する。例えば、図６（Ａ）、（Ｂ）に示すように、体腔内中継部２２（体腔内挿入先端部２１）の側面には、被非固定部として、挿入方向に対して鋭角なノコギリ歯状の突起部２２ｂ（突起部２１ｂ）が形成されている。また、握り部２３（体腔内中継部２２）の端部内面には、体腔内中継部２２（体腔内挿入先端部２１）の突起部２２ｂ（突起部２１ｂ）が挿入方向と逆行することを防止するツメ状の突起２３ｂ（突起２２ｂ）が形成され、端部外面にはネジ山２３ｃ（ネジ山２２ｃ）が形成されている。一方、当該固定部２６（固定部２５）の内面には、握り部２３（体腔内中継部２２）のネジ山２３ｃ（ネジ山２２ｃ）と係合するネジ山２６ａ（ネジ山２５ａ）が形成されている。
【００５４】
このような構成において、リリース時には、図６（Ａ）に示すように、固定部２６（固定部２５）のネジ山２６ａ（ネジ山２５ａ）と握り部２３（体腔内中継部２２）のネジ山２３ｃ（ネジ山２２ｃ）との係合を解くことで、握り部２３（体腔内中継部２２）の突起２３ｂ（突起２２ｂ）は、素材の剛性によって体腔内中継部２２（体腔内挿入先端部２１）の突起部２２ｂ（突起部２１ｂ）から離れて、体腔内中継部２２（体腔内挿入先端部２１）は、握り部２３（体腔内中継部２２）に対して移動自在の状態となる。一方、固定時には、図６（Ｂ）に示すように、固定部２６（固定部２５）のネジ山２６ａ（ネジ山２５ａ）と握り部２３（体腔内中継部２２）のネジ山２３ｃ（ネジ山２２ｃ）とを係合させることで、握り部２３（体腔内中継部２２）の突起２３ｂ（突起２２ｂ）は、体腔内中継部２２（体腔内挿入先端部２１）の突起部２２ｂ（突起部２１ｂ）と接触して、体腔内中継部２２（体腔内挿入先端部２１）は、握り部２３（体腔内中継部２２）に対して固定された状態となる。尚、固定部２５、２６の他の構成例としては、ネジやピン等を挙げることができる。
【００５５】
このような構成において、例えば、当該体腔内用超音波プローブ２０を体腔内浅部において用いる場合（浅部適用時）には、図５（Ａ）に示すように、体腔内挿入先端部２１の他端側を体腔内中継部２２の収納部２２ａに収納して、固定部２５によって固定する。さらに、体腔内中継部２２の体腔内挿入先端部２１に対する他端側を握り部２３の収納部２３ａに収納して、固定部２６によって固定する。この際、ケーブル２３は、図における矢印方向に押し出される。因みに、この際の体腔内挿入長さＡ１（第１の体腔内挿入長さａ１＋第２の体腔内挿入長さｂ１）は、１００ｍｍ〜１５０ｍｍ程度である。
【００５６】
また、当該体腔内用超音波プローブ２０を体腔内深部において用いる場合（深部適用時）には、図５（Ｂ）に示すように、体腔内挿入先端部２１を体腔内中継部２２の収納部２２ａから引き出して、固定部２５によって固定する。さらに、体腔内中継部２２を握り部２３の収納部２３ａから引き出して、固定部２６によって固定する。この際、ケーブル２４は、図における矢印方向に押し出される。因みに、この際の体腔内挿入長さＡ２（第１の体腔内挿入長さａ２＋第２の体腔内挿入長さｂ２）は、３００ｍｍ〜４５０ｍｍ程度である。
【００５７】
尚、当該体腔内用超音波プローブ２０を使用後には、各部に対して滅菌処理を施す必要があるため、体腔内挿入先端部２１と体腔中継部２２と固定部２５は、また、体腔中継部２２と握り部２３と固定部２６は、個々に分解可能、即ち、体腔内挿入先端部２１は、体腔中継部２２から引き抜くことが可能で、固定部２５は、体腔中継部２２から取り外し可能に、また、体腔中継部２２は、握り部２３から引き抜くことが可能で、固定部２６は、握り部２３から取り外し可能に構成することが好ましい。
【００５８】
以上に説明したように、当該体腔内用超音波プローブ２０においては、体腔内挿入先端部２１を固定部２５によって体腔内中継部２２に対して任意の長さに固定することができ、また、体腔内中継部２２を固定部２６によって握り部２３に対して任意の長さに固定することができるので、術式の種類や、対象となる部位の体腔内における深度に応じて、体腔内挿入長さを自由に調整することができ、浅部に位置する組織や臓器が対象となる場合やトラカールを用いない術式の場合においても、操作者にとって最適な操作性を得ることができる。また、深部に位置する組織や臓器が対象となる場合やトラカールを用いる術式の場合においても、従来と同様に対応することができる。
【００５９】
また、体腔内挿入部１１の他端側を、体腔内中継部２２の収納部２２ａに収納し、また、体腔内中継部２２の体腔内挿入先端部２１に対する他端側を、握り部２３の収納部２３ａに収納する仕組みとなっているので、コンパクトにすることができ、上述した［第１の実施形態］に比べて、より操作性を向上することができる。
【００６０】
【発明の効果】
以上に説明したように、本発明に係る体腔内用超音波プローブによれば、術式の種類や、対象となる部位の体腔内における深度に応じて、体腔内挿入長さを自由に調整することができるので、腹腔鏡下術等において、最適な操作性を得ることが可能になる。
【図面の簡単な説明】
【図１】本発明に係る体腔内用超音波プローブの一実施形態における全体構成を表す外観図である。
【図２】図１に示す体腔内用超音波プローブの固定部の詳細構成を表す断面図である。
【図３】図１に示す体腔内用超音波プローブの他の実施形態における全体構成を表す外観図である。
【図４】図３に示す体腔内用超音波プローブの固定部の詳細構成を表す断面図である。
【図５】図１に示す体腔内用超音波プローブの他の実施形態における全体構成を表す外観図である。
【図６】図５に示す体腔内用超音波プローブの固定部の詳細構成を表す断面図である。
【図７】従来の体腔内用超音波プローブを腹腔内検査に使用する場合の態様を表す説明図である。
【図８】従来の体腔内用超音波プローブを、腹腔内に空間を設けた状態で腹腔内検査に使用する場合の態様を表す説明図である。
【図９】従来の体腔内用超音波プローブを、腹腔内に空間を設けない状態で腹腔内検査に使用する場合の態様を表す説明図である。
【符号の説明】
１  体腔内用超音波プローブ
２  体腔内挿入部
２ａ  超音波センサ部
３  握り部
４  ケーブル
５  固定部
Ａ１、Ａ２  体腔内挿入長さ
【図１】
2004298340.tif 000003
【図２】
2004298340.tif 000004
【図３】
2004298340.tif 000005
【図４】
2004298340.tif 000006
【図５】
2004298340.tif 000007
【図６】
2004298340.tif 000008
【図７】
2004298340.tif 000009
【図８】
2004298340.tif 000010
【図９】
2004298340.tif 000011